Podtech/llm-jp-corpus-v4-ja_patent huggingface dataset:
(57)【要約】【課題】  特に折返し構造を有しないにも拘わらず、ほつれが起こらない衣類を提供する。【解決手段】  本考案は、３０％を超える化学繊維と綿とから成ると共に、縁部に高周波処理により折返し無し構造が形成されることを特徴とする。【選択図】  図２
0003108646.tif 000002
【実用新案登録請求の範囲】
【請求項１】
３０％を超える化学繊維と綿とから成ると共に、縁部に高周波処理により折返し無し構造が形成されることを特徴とする折返し構造を有しない衣類。
【請求項２】
前記化学繊維がナイロン或いはポリエステルであることを特徴とする請求項１に記載の折返し構造を有しない衣類。
【請求項３】
前記衣類が袖口及び／又は裾に折返し無し構造を有する上着や下着、或いは裾に折返し無し構造を有するズボンやパンツであることを特徴とする請求項１、２に記載の折返し構造を有しない衣類。
【考案の詳細な説明】
【技術分野】
【０００１】
本考案は、特に折返し構造を有しないにも拘わらず、ほつれが起こらない衣類に関するものである。
【背景技術】
【０００２】
一般に用いられている生地の編織方法では、図８に示すように、最も下段の部分を丈夫に編織することができなく、ほつれ（１０）が発生してしまうので、通常は、衣類を製作する時に、上着の袖口、裾或いはズボンの裾の縁部におけるほつれの発生を防ぐため、図９及び図１０に示すように、上着（１２）においては、袖口（１４）及び裾（１６）の縁部を折り返して縫製し、また、ズボン（１８）においても、裾（１９）の縁部を折り返して縫製するという方法を採用している。
【考案の開示】
【考案が解決しようとする課題】
【０００３】
しかしながら、前記従来の編織方法では、ほつれの発生を防ぐために、上着の袖口及び裾や、ズボンの裾の縁部を折返して縫製する工程を行う必要があることから、製造工程数が増加し、より複雑化するので、時間の浪費や製造コストの増大につながっていた。
【課題を解決するための手段】
【０００４】
本考案は、３０％を超える化学繊維と綿とから成ると共に、縁部に高周波処理により折返し無し構造が形成されることを特徴とする折返し構造を有しない衣類、を提供する。
【考案の効果】
【０００５】
本考案の折返し構造を有しない衣類は、上記従来の課題を解決するものであり、３０％を超える化学繊維と綿とから成ると共に、縁部に高周波処理により折返し無し構造形成されるので、製造が容易で、尚且つ低コスト化も図ることができる。
【考案を実施するための最良の形態】
【０００６】
以下、添付図面を参照して本考案の好適な実施の形態を詳細に説明する。       
図１は本考案に係る折返し構造を有しない衣類の生地を示す図であり、図２は本考案に係る折返し構造を有しない上着の正面図であり、図３は本考案に係る折返し構造を有しないズボンの正面図であり、図４は本考案に係る折返し構造を有しないパンツの展開時の平面図であり、図５は本考案に係る折返し構造を有しないパンツの正面図であり、図６は本考案に係る折返し構造を有しない下着の展開時の平面図であり、図７は本考案に係る折返し構造を有しない下着の正面図である。     
図１に示すように、本考案の折返し構造を有しない衣類は、生地（２０）の縁部（２２）を高周波処理により溶着固定し溶着部分の脱離を防止するが、この場合、高周波処理により高温及び超音波を発生させて、含有量が３０％を超えるナイロン或いはその他の化学繊維の生地（２０）の縁部（２２）をプレスし、縁部（２２）のほつれなどによる脱離を防止することが最も好ましい。また、この方法によれば、縁部（２２）において折返し処理を行う必要がないので、製造をより容易にすることができる。     
図２及び図３に示すように、前記方法により処理した生地で上着（３０）或いはズボン（４０）を製作すれば、ほつれなどが起こる心配はないので、例えば、上着（３０）では袖口の折返し無し構造（３２）や裾の折返し無し構造（３４）、一方、ズボン（４０）では裾の折返し無し構造（４２）を実現できる。     
また、図４に示すように、周辺を高周波処理してほつれなどを防止した生地を、超音波或いは高周波により裁断し、その折返し無しの向い合う２つの縁部にそれぞれ、切欠き（５２）を形成すると共に、図５に示すように折返して加工し、一般的なパンツ（５０）の形状にする。尚、この時、切欠き（５２）は足部の開口となる。     
同様に、図６及び図７に示すように、周辺を高周波処理してほつれなどを防止した生地を、超音波或いは高周波により裁断し、その折返し無しの向い合う２つの縁部にそれぞれ弧形切欠き（６４）を形成すると共に、中央に開口（６２）を形成し、更に、図７に示すように折返して加工し、一般的な下着（５０）の形状にする。 尚、この時、弧形切欠き（６４）は腕部と対応し、開口（６２）は首部と対応する。     
故に、前記方法によれば、製作時間の短縮や低コスト化を図ることができる。尚、前記方法は、当然のことながら上着やズボン、パンツ、下着のみならず、他の衣類にも適用できることは言うまでもない。
【図面の簡単な説明】
【０００７】
【図１】本考案に係る折返し構造を有しない衣類の生地を示す図である。
【図２】本考案に係る折返し構造を有しない上着の正面図である。
【図３】本考案に係る折返し構造を有しないズボンの正面図である。
【図４】本考案に係る折返し構造を有しないパンツの展開時の平面図である。
【図５】本考案に係る折返し構造を有しないパンツの正面図である。
【図６】本考案に係る折返し構造を有しない下着の展開時の平面図である。
【図７】本考案に係る折返し構造を有しない下着の正面図である。
【図８】従来の衣類に用いられる生地のほつれ状態を示す平面図である。
【図９】従来の衣類に用いられる生地により製作した上着の正面図である。
【図１０】従来の衣類に用いられる生地により製作したズボンの正面図である。
【符号の説明】
【０００８】
１０        ほつれ
１２        上着
１４        袖口
１６        裾
１８        ズボン
１９        裾
２０        生地
２２        縁部
３０        上着
３２        袖口の折返し無し構造
３４        裾の折返し無し構造
４０        ズボン
４２        裾の折返し無し構造
５０        パンツ
５２        切欠き
６０        下着
６２        開口
６４        弧形切欠き
【図１】
0003108646.tif 000003
【図２】
0003108646.tif 000004
【図３】
0003108646.tif 000005
【図４】
0003108646.tif 000006
【図５】
0003108646.tif 000007
【図６】
0003108646.tif 000008
【図７】
0003108646.tif 000009
【図８】
0003108646.tif 000010
【図９】
0003108646.tif 000011
【図１０】
0003108646.tif 000012
(57)【要約】      （修正有）【課題】電池カバー部に電池収納ケースを出入自在としてソーラー充電式二次電池の各々の取外し、装填作業を容易にし、然も充電器への装填、取外しを容易にして作業の効率化を図ろうとするものである。【解決手段】点灯部と電池カバー部とからなる標識灯本体３において、電池カバー部２内にはスライドガイドを設けてソーラー充電式二次電池７の電池収納ケースを出入自在とすると共に、電池収納ケース内のソーラー充電式二次電池の各々を取出し自在とし、電池カバー部の下端には着脱自在な蓋を設けて閉蓋時に電池収納ケースを押圧自在としてあり、蓋にはスイッチ１１を設けてあって、点灯部の基板、電池収納ケース、スイッチはリード線により電気的に接続されていることを特徴とする道路等保安用標識灯である。【選択図】図１
0003108647.tif 000002
【実用新案登録請求の範囲】
【請求項１】
点灯部と電池カバー部とからなる標識灯本体において、電池カバー部内にはスライドガイドを設けてソーラー充電式二次電池の電池収納ケースを出入自在とすると共に、電池収納ケース内のソーラー充電式二次電池の各々を取出し自在とし、電池カバー部の下端には着脱自在な蓋を設けて閉蓋時に電池収納ケースを押圧自在としてあり、蓋にはスイッチを設けてあって、点灯部の基板、電池収納ケース、スイッチはリード線により電気的に接続されていることを特徴とする道路等保安用標識灯。
【考案の詳細な説明】
【技術分野】
【０００１】
本考案は道路等の工事現場等を視認させる保安用の標識灯に関する。
【背景技術】
【０００２】
従来、ソーラー充電式二次電池を装填した道路等保安用の標識灯は、日照時間帯に充電し、一定の暗さになると放電し点滅するようになっている。ところが日照の良し悪しによって充電度合いが異なるため、各々の標識灯の点滅時間は不揃いとなり、点滅しないものはその都度充電した電池と交換する必要があるが、装填されているソーラー充電式二次電池(通常は２個以上。)は互いに結線されて一体化されており、然も点灯部と電池カバー部分が螺子止めなどの手段で固定されているため、コネクターや電池の取外すのが面倒であり、然も充電器への装填作業が面倒でスムーズな作業が出来ない等の欠点がある。
【考案の開示】
【考案が解決しようとする課題】
【０００３】
そこで本考案は、電池カバー部に電池収納ケースを出入自在としてソーラー充電式二次電池の各々の取外し、装填作業を容易にし、然も充電器への装填、取外しを容易にして作業の効率化を図ろうとするものである。
【課題を解決するための手段】
【０００４】
本考案は、点灯部と電池カバー部とからなる標識灯本体において、電池カバー部内にはスライドガイドを設けてソーラー充電式二次電池を装填した電池収納ケースを出入自在とすると共に、電池収納ケース内のソーラー充電式二次電池の各々を取出し自在とし、電池カバー部の下端には着脱自在な蓋を設けて閉蓋時に電池収納ケースを押圧自在としてあり、蓋にはスイッチを設けてあって、点灯部の基板、電池収納ケース、スイッチはリード線により電気的に接続されていることを特徴とする道路等保安用標識灯である。
【考案の効果】
【０００５】
本考案の効果として、ソーラー充電式二次電池の各々の取出し、装填がスムーズにでき、充電器への装填作業の効率化を図ることが出来る。
【実施例】
【０００６】
本案を図示の実施例により詳記すると、点灯部１と電池カバー部２とからなる標識灯本体３において、電池カバー部２内には上下にガイド板４、４と５、５を対設してスライドガイド６を設けて、外スライドガイド６内にソーラー充電式二次電池７、７の電池収納ケース８を出入自在としてあり、電池収納ケース８の底部には取出し孔９、９を設けてある。
【０００７】
取出し孔９に指を入れて装填されているソーラ充電式二次電池７，７の各々を押し出して取出し自在としてあり、電池カバー部２の下端には着脱自在なキャップ１０を設けて閉蓋時に電池収納ケース８を内方に押圧自在としてあり、キャップ１０にはスイッチ１１を設けてあって、点灯部１の基板、電池収納ケース８、スイッチ１１はリード線１２により電気的に接続されているものである。
【０００８】
図中１３，１３は電池カバーの２の取付突起で、図示しない円錐状のコーン(工事現場等に載置する。)の頂部に挿着自在となっている。１４はキャップ１０に設けた掛止フックで、１５は電池カバーの内側に設けた雌フックで掛止フック１４に対応しキャップ１０を締め付けるようになっている。
【図面の簡単な説明】
【０００９】
【図１】本考案にかかわる道路等保安用標識灯の側面説明図。
【図２】電池カバー部の側面説明図
【図３】図２のＡ−Ａ線断面説明図
【図４】電池カバーの平面説明図
【図５】電池収納ケースの拡大正面説明図
【図６】キャップの拡大側面説明図
【図７】キャップの拡大底面説明図
【符号の説明】
【００１０】
１：点灯部
２：電池カバー部
３：標識灯本体
６：スライドガイド
７：ソーラ充電式二次電池
８：電池収納ケース
１０：キャップ
１１：スイッチ
【図１】
0003108647.tif 000003
【図２】
0003108647.tif 000004
【図３】
0003108647.tif 000005
【図４】
0003108647.tif 000006
【図５】
0003108647.tif 000007
【図６】
0003108647.tif 000008
【図７】
0003108647.tif 000009
(57)【要約】【課題】覚醒状態にある患者の恐怖心をなくしドクターのストレスを緩和することが可能な環境を実現する手術室等の病院内の部屋の壁面構造を提供する。【解決手段】手術室等の病院内の部屋の四方及び天井の壁面に印刷フィルムを貼付し、各フィルムには予め壁面全体として一つの画像となるように画像が印刷形成されている。また、印刷フィルムは剥がすことが可能なように上記壁面に接着剤で貼付されている。【選択図】  図１
0003108649.tif 000002
【実用新案登録請求の範囲】
【請求項１】
病院内の手術室等の部屋の四方及び天井の壁面に印刷フィルムを貼付し、各フィルムには予め壁面全体として一つの画像となるように画像が印刷形成されていることを特徴とする病院内の部屋の壁面構造。
【考案の詳細な説明】
【技術分野】
【０００１】
本考案は、病院の手術室等、病院内の部屋の壁面構造に関する。
【背景技術】
【０００２】
従来の病院の手術室は全体が白色、グレー色などのモノトーン一色の汎用の壁面で構成されている。しかし、上記のような従来の手術室では、周囲にある手術用装置などのイメージと相まって、部屋全体が金属色調で患者やドクターの精神に良い影響を与えているとは言えない。特に、局部麻酔下での手術が行われる場合には覚醒状態で手術が行われるため患者に対し好ましくない恐怖心を与えることがある。また、ドクターに対しては、長時間に及ぶ手術のときに大きなストレスを与えることがある。このような問題をできるだけ解決するために、手術室にＢＧＭ装置を設置して恐怖心やストレスを緩和する方法が採用される場合がある。
【考案の開示】
【考案が解決しようとする課題】
【０００３】
しかしながら、患者の恐怖心を和らげドクターのストレスを緩和するには、耳から入るＢＧＭだけでは十分であるとは言えなかった。
【０００４】
本考案の目的は、覚醒状態にある患者とドクターの精神を癒すことが可能な環境を実現する手術室等の病院内の部屋の壁面構造を提供することにある。
【課題を解決するための手段】
【０００５】
本考案の手術室等の病院内の部屋の壁面構造は、術室の四方及び天井の壁面に印刷フィルムを貼付し、各フィルムには予め壁面全体として一つの画像となるように画像が印刷形成されていることを特徴とする。
【０００６】
本発明の病院内の部屋の壁面構造、例えば手術室では、手術室の四方及び天井の壁面に印刷フィルムが貼付される。印刷フィルムは、フィルム上に任意の画像を印刷したものである。また、各フィルムは予め壁面全体として一つの画像となるように作成される。このため、手術室の四方及び天井の壁面には、例えば、「森」や「空」等をイメージした統一された画像が表示されることが可能であり、画像を適当なものにすることで患者やドクターの精神を癒す効果を出すことが可能になる。
【０００７】
また、印刷フィルムの画像にイメージが合致するＢＧＭを手術中に出力することで上記の効果をさらに高めることが可能である。
【考案の効果】
【０００８】
本考案によれば、患者やドクターの視覚に対して、気持ちを和らげる環境画像を与えるため、覚醒状態にある患者に対しては手術に対する恐怖心を和らげる効果があり、また、ドクターやナースに対しては長時間の手術に対するストレスを緩和することができる。また、壁面に印刷フィルムを貼付するだけで良いため、印刷フィルムを交換すれば室内環境を簡単に変えることが可能である。
【考案を実施するための最良の形態】
【０００９】
図１は、本考案の実施形態である手術室の壁面の一部を示している。
【００１０】
図において、１は、印刷フィルムである。この印刷フィルム１は、予め、コンピュータで作成されるものであり、公知の画像編集ソフトウェアにより編集し、プリンタで印刷出力することで簡単に得られる。
【００１１】
印刷フィルム１は、複数枚に分割されるとともに、各印刷フィルムは、貼付される場所の壁面の形状に応じてコンピュータ画面内で予め編集される。例えば、図１において最左側に位置する印刷フィルム１ａは、その下側にある吸気孔２の外形に沿った切り込み部を有している。このように、分割された各印刷フィルムを手術室の壁面の構造等に合ったものにするため、各壁面部の構造やその部分にある備品、装置等の寸法がコンピュータに入力された状態で印刷フィルムの形状が決められる。図２は、コンピュータ画面内で編集された印刷フィルムの展開図である。同図では壁面部にある備品、装置等も表示されている。
【００１２】
コンピュータでは、各印刷フィルムの画像の全体で一つの画像が形成されるように編集作業が行われるとともに、隣接するフィルム同士では画像が連続し途切れることがない。例えば、図示の例では、全体の画像が空と山と草原の風景画像であり、各印刷フィルムはその中の一部の画像を示している。
【００１３】
図１では、天井画像を示していないが、実際には、図２に示すように天井は空の画像にされる。
【００１４】
各印刷フィルムは裏面に接着層が形成されている。したがって、各壁面部にこの印刷フィルムを位置合わせして適当な外力により押圧するだけで、貼付することができる。
【００１５】
印刷フィルムに形成されている接着層は剥がすことも可能であるため、手術室全体のイメージを変更したいときは、印刷フィルム全体を剥がし、新しく作成したものを同様に貼付するだけで良い。
【００１６】
なお、上記の印刷フィルム上の環境画像に加えて、同画像にあった音楽（ＢＧＭ）を手術室内に流すことも可能である。
【図面の簡単な説明】
【００１７】
【図１】本考案の実施形態である手術室の壁面の一部を示している。
【図２】コンピュータ画面内で編集された印刷フィルムの展開図である。
【図１】
0003108649.tif 000003
【図２】
0003108649.tif 000004
(57)【要約】【課題】  進行側のプロペラ翼が受ける水流抵抗を可及的に小ならしめ、効率の良い運航を可能ならしめる両頭船の提供。【解決手段】  船首及び船尾の両方に推進器を備えた両頭船に於いて、推進器の両者を可変ピッチプロペラを採用し、進行側の推進器は可変ピッチプロペラの翼をプロペラ軸と平行する状態で固定されるものとなす。【選択図】      図２
0003108602.tif 000002
【実用新案登録請求の範囲】
【請求項１】
船首及び船尾の両方に推進器を備えた両頭船に於いて、推進器の両者を可変ピッチプロペラを採用したことを特徴とする両頭船。
【請求項２】
進行側の推進器は可変ピッチプロペラの翼をプロペラ軸と平行する状態で固定されるものとなしたことを特徴とする請求項１記載の両頭船。
【考案の詳細な説明】
【技術分野】
【０００１】
本考案は、専ら近海水路を貨物や旅客を乗せて運航される両頭船に関する。
【背景技術】
【０００２】
上記に於いて、比較的近距離の島嶋間を往き来するフェリーなどの貨客船が増加しており、これら貨客船には方向転換の不必要性から船底の船首と船尾の前後箇所へ推進器を備えた両頭船の使用が多く見られるものとなっている。
【特許文献１】実用新案登録第３０６９１３８号
【考案の開示】
【考案が解決しようとする課題】
【０００３】
上記に於ける従来船のものは、前進するさい船首側のプロペラは遊転状態になしておくのであり、従ってプロペラが遊転するさいの抵抗は、船自体の抵抗の凡そ１０％ぐらいになることから、船の速力が減少することになる。ところで、このさいプロペラの遊転を止めて固定状態にすると、上記抵抗はより大きなものとなるのである。
本考案は上記問題を解決せんとするものである。
【課題を解決するための手段】
【０００４】
本考案は船首及び船尾の両方に推進器を備えた両頭船に於いて、推進器の両者を可変ピッチプロペラを採用したものとなすのであり、而して前進時に於ける進行側の推進器に於ける可変ピッチプロペラの翼は、そのプロペラ軸と平行する状態で当該プロペラの翼を固定させたものとなすのである。
【考案の効果】
【０００５】
本考案に係る両頭船は、航行中に運転駆動されない側となる進行側の推進器の翼をプロペラ軸と平行する９０°角に可変したものとなし、推進器が受ける水流抵抗を可及的に減少させ、経済性に優れた効率の良い運航を可能ならしめるのである。
【考案を実施するための最良の形態】
【０００６】
図１は本考案に係る両頭船の側面図であって１は船体、２，２はその船底に於ける船首部ａと船尾部ｂに取付けてなる推進器、３，３は夫々れの推進器の前方へ取付けてなる舵板（方向舵）である。
【０００７】
本考案に於いては、上記推進器２，２に可変ピッチプロペラが採用されたものとなしてあり、このさいその可変角の従来の市販品にはない９０°の変更をも可能にする特殊設計の構成となしたのものである。（従来品は２０°〜３０°まで）
【０００８】
図２は上記した船首部ａと船尾部ｂに採用した可変ピッチプロペラの推進器２，２の作用説明図であって、船体を省略し、且つプロペラ翼ｐを俯瞰して示す平面図であり、Ａ及びＢは夫々れ矢印イ及びロ方向へ航行するさいの船首部及び船尾部のプロペラ翼ｐの可変位置状態を示す。
【０００９】
上記から明らかな通り、前進側となる船首部に於ける推進器のプロペラ翼ｐは推進軸と平行する９０°の位置ｔ０で固定状態となすのであり、このさい方向舵３も同様平行となされるが、この状態では水流抵抗が可及的に最小のものとなすことができる。なお、上記で船尾側（Ｂでは船首側）に於ける推進器ｐはｔ１，ｔ２，ｔ３の如く可変させるのであるが、このさいｔ１位置に於ける変更は前進作用を、またｔ２位置に於ける変更は停止（中立）作用を、そしてｔ３位置に於ける変更は一時的な後進作用を可能にするためのものである。
【００１０】
本考案は以上の通り構成するものであって、船体の前進と後進を船首と船尾に於ける推進器のピッチ角度を変えるだけで、前進や後進などが簡便且つ迅速に行えるものとなるのであり、とりわけ進行側のプロペラ翼の受ける水流抵抗を可及的に小ならしめることができるので、航速が上昇すると共に経済性に優れた運航を図れる上で寄与するものとなる。
【図面の簡単な説明】
【００１１】
【図１】本考案に於ける両頭船の側面図である。
【図２】作用説明図である。
【符号の説明】
【００１２】
１      船体
２      推進器
３      方向舵
【図１】
0003108602.tif 000003
【図２】
0003108602.tif 000004
(57)【要約】【課題】携帯電話機をミラーとしても利用できるよぅにする。【解決手段】携帯電話機本体１に蝶番２を介し、開閉自在のミラー３を取り付けたもので、今まで考慮されなかった自己の容姿が簡単に写せて、利便性に富んだミラー付携帯電話機。【選択図】  図１
0003108697.tif 000002
【実用新案登録請求の範囲】
【請求項１】
ミラー３を携帯電話機本体１に蝶番２を介して開閉可能に取り付け、使用しないときは同本体に重ねて収納できるよぅにした携帯電話機。
【考案の詳細な説明】
【技術分野】
【０００１】本考案は、携帯電話機本体１の部分にミラー部分３お蝶番２を介して取り付けた開閉自在なミラー付携帯電話機に関するものである。
【背景技術】
【０００２】従来の携帯電話機の用途は携帯でき、何処からでも電話、インターネット等の送受信ができ、今や日常生活には不可欠のものであるが、それ以外の用途には全く考慮されていない．本考案はこの点を改良しよぅとするものである。
【考案の開示】
【考案が解決しよぅとする課題】
【０００３】従来の携帯電話機に欠けている点は自己の容姿が写せない難点がある。本考案は、携帯電話機本体１に蝶番２を介しミラー部分３を取り付けミラーとしても利用でるように改良する．
【課題が解決するための手段】
【０００４】本考案は上記の如き問題を解決するために考案したものであって、ミラー部分３を蝶番２を介し折り畳んで、携帯電話機本体１に重ねて収納できるようにした。
【考案の効果】
【０００５】本考案は上述の通り構成されているので、携帯電話機をミラーとしても使用できる。
【考案を実施するための最良の形態】
【０００６】実施例のミラー付携帯電話機は図１、２に示すように、携帯電話機本体１にミラーを蝶番２を介し開閉自在に取り付けたものである。【０００７】実施例の携帯電話機によれば、ミラーとしても使用することができる。
【図面の簡単な説明】
【図１】実施例のミラー付携帯電話機の斜視図
【図２】実施例のミラー付携帯電話機の斜視図
【符号の説明】
１    携帯電話機２    蝶番３    ミラー部分
【図１】
0003108697.tif 000003
【図２】
0003108697.tif 000004
(57)【要約】【課題】偏頭痛時に簡単に装着出来るという帽子を提供する。【解決手段】保冷剤を手で押さえず冷やすという目的の為に、乳児用紙おむつの構造を用いた。本考案は乳児用紙おむつの利点を生かして偏頭痛用に利用出来るものである。課題の解決の為に、頭が入る開口部と横側面を伸縮材で形成し、前後方側面内部に一定幅の、一方向性吸水材に拠る吸収体層を縦に形成し、全体を不織布で覆い部分的に三層から成る偏頭痛解消用帽子である。水を入れて凍らせた吸水材が保冷剤となり患部を冷やし、開口部と横側面の伸縮材が手で押さえる役目をする吸水性シートで形成する帽子である。更に、紙には軽さと使い捨てが出来るというメリットもある。【選択図】図２
0003108698.tif 000002
【実用新案登録請求の範囲】
【請求項１】
吸水性シートで形成する帽子であり、頭が入る開口部と横側面部を伸縮材で形成し、前後方側面内部に一定幅の、一方向性吸水材に拠る吸収体層を縦に形成し、全体を不織布で覆い部分的に三層から成る偏頭痛解消用帽子。
【考案の詳細な説明】
【技術分野】
【０００１】  本考案は、偏頭痛時に簡単に装着出来るという帽子に関するものである。
【背景技術】
【０００２】  乳児用紙おむつはポリエチレンフィルムの上に、パルプ又はパルプを主成分とする吸収層をおき、その上にポリエチレン又はポリマーの繊維からなる多孔質シートを重ねる構造である。防水材として吸収体層が一方向疎水性素材で、ポリウレタン、天然ゴムを伸縮材として使っている。それにより、尿の吸水性能、防漏性能、消臭性能、使用時の耐久性、感触ともに優れている水崩壊性衛生材料という事が知られているが、偏頭痛時に冷やす為の帽子としての使い方はまだ知られていない。
【特許文献１】  「特開平６−２４５９５３号公報」
【特許文献２】  「特開平６−２４５９５６号公報」
【考案の開示】
【考案が解決しようとする課題】
【０００３】  従って本考案の課題は、まだ知られていない帽子を提供する事である。
【課題を解決する為の手段】
【０００４】  頭痛には暖めると良くなるものと冷やすと良くなるものがあり、本考案は冷やすと良くなる場合に使う帽子である。偏頭痛は、頭の片側がズキンズキンと痛むことが多く、睡眠と患部を冷やすということにより楽になる病気である。しかし、横になっている時や患部の位置により冷やし続けることは難しかった。そこで保冷剤を手で押さえずに冷やすという目的の為に乳児用紙おむつの構造を用いた。本考案の構造は帽子の内側に保冷剤の役目をする吸収体層を一定の幅で縦に入れた帽子である。頭が入る開口部と横側面部には手で押さえずに冷やすという目的のために伸縮材を用い、吸収体層は一方向性吸水材なので防水にも優れている。本考案は乳児用紙おむつの利点を生かし、装着し易さを加えた部分的に三層から成る偏頭痛解消用帽子である。
【考案の効果】
【０００５】  使い方は本考案に水を入れ冷凍庫で冷やし保冷剤が患部に当るよう被るというもので、簡単に装着出来て、手で押さえる必要もなく軽くて、患部に保冷剤がぴたりと当りこの目的を十分達成出来ている。偏頭痛は吐き気を伴うこともある為、帽子として使用する他に嘔吐用袋としても使える。素材が紙なので極めて安く提供でき、簡単に捨てられるというメリットがある。
【考案を実施するための最良の形態】
【０００６】  以下、本考案の実施の形態を図１乃至図４に基づいて説明する。【０００７】  頭が入る開口部６と横側面部７は伸縮材で形成し、吸収体層２の前後方側面内部である第一層目は吸水材３、第二層目は防水材４を使用し、表面材５で全体を覆った部分的に三層から成る帽子である。吸収体層の厚さは７ミリか８ミリ程度が望ましく、素材として吸水材は綿状パルプ、吸水紙、高分子吸水材等など、防水材はポリエチレンフィルム、伸縮材はポリウレタン、天然ゴムなどが考えられる。表面材はポリオレフィン・ポリエステル不織布を使うと肌触りが良くなる。帽子の形状は吸収体層の部分が頭に密着する様に半円形が望ましく、其れでいて締め付け感の無いものが良い。
【図面の簡単な説明】
【０００８】
【図１】本考案の使用状態の正面図である。
【図２】図１のＡＡ’の断面図である。
【図３】本考案の使用状態の横側面図である。
【図４】図３のＢＢ’の断面図である。
【符号の説明】
【０００９】１  帽子本体
２  吸収体層
３  吸水材
４  防水材
５  表面材
６  開口部
７  横側面部
【図１】
0003108698.tif 000003
【図２】
0003108698.tif 000004
【図３】
0003108698.tif 000005
【図４】
0003108698.tif 000006
(57)【要約】【課題】  きらきら輝く光の変化効果と、光源の広がった輝度の効果とを有する電灯を提供する。【解決手段】  電灯はソケット１と、基板２と、若干の発光体３と、集光笠４と、電灯笠５とからなり、基板２はソケット１内に設けられ、基板２に若干の発光体３が設けられる。集光笠４は基板２の上方に設けられ、且其々の発光体３に対応して透かした集光部４１が設けられ、内面に若干の反射面４１１が設けられる。電灯笠５は透明であり、且ソケット１を覆うように設けられるため、基板２、集光笠４が電灯笠５に覆われ、又電灯笠５の内面に若干の反射面５１が設けられる。其々の発光体３によって出された光源が集光笠４の隔離及び反射によって広げられてから電灯笠５に投射され、電灯笠５内面の反射面５１で反射して拡散されるため、電灯笠５から出た光源は光線の反射効果によって発生した、きらきら輝く光の変化効果、及び光源の広がった輝度の効果を持つ。【選択図】  図１
0003108692.tif 000002
【実用新案登録請求の範囲】
【請求項１】
ソケットと、基板と、若干の発光体と、集光笠と、電灯笠とからなり、前記基板はソケットの中に設けられ、基板の上に若干の発光体が設けられ、電灯笠は透明であり、ソケットを覆うように設けられることにより、基板及び集光笠が前記電灯笠に覆われ、集光笠は基板の上方に設けられ、其々の発光体に対応して透かした集光部が設けられることを特徴とする電灯。
【請求項２】
集光部の底部の直径が外側の直径より小さく、内面に若干の反射面が設けられることを特徴とする請求項１に記載の電灯。
【請求項３】
電灯笠の内面に若干の反射面が設けられることを特徴とする請求項１に記載の電灯。
【請求項４】
其々の発光体によって同じまたは違った色つや、輝度の光源が出されることを特徴とする請求項１に記載の電灯。
【考案の詳細な説明】
【技術分野】
【０００１】
本考案は、電灯に関する。
【背景技術】
【０００２】
図５に示すのは、従来より知られた電灯であり、主として発光体１'、電灯笠２'、及び透明のカバー３'からなり、そしてその発光体１'とは電灯笠２'の中に設けられるものであり、且カバー３'は電灯笠２'の前方に設けられているため、発光体１'が出した光源は電灯笠２'によって反射してからカバー３'によって出される。
【考案の開示】
【考案が解決しようとする課題】
【０００３】
しかしながら前述した構造は、カバー３'だけが光を通す機能を持つため、光源を広げる効果が理想的ではない欠点があり、又僅か一つの発光体１'によって光源が出されて集光のデザイン性が欠如しているため、きらきら輝く光の変化に乏しい欠点を有する。  従って本考案の目的は、きらきら輝く光の変化効果と、光源の広がった輝度の効果とを有する電灯を提供することにある。
【課題を解決するための手段】
【０００４】
本考案の電灯は、ソケットと、基板と、若干の発光体と、集光笠と、電灯笠とからなり、前記基板はソケット内に設けられ、基板の上に若干の発光体が設けられる。又集光笠は、基板の上方に設けられ、且其々の発光体に対応して透かした集光部が設けられ、且その集光部の底部の直径が外側の直径より小さく、且内面に若干の反射面が設けられる。又電灯笠は透明なものであり、且ソケットを覆うように設けられるため、基板、集光笠がこの電灯笠に覆われ、又電灯笠の内面に若干の反射面が設けられる。それによって、其々の発光体によって出された光源が集光笠の隔離及び反射によって広げられてから電灯笠まで投射され、且電灯笠内面にある反射面によって反射して拡散されるため、電灯笠から出た光源は一層の光線の反射効果によって発生した、きらきら輝く光の変化効果、及び光源の広がった輝度の効果を持つ。
【考案を実施するための最良の形態】
【０００５】
図１、図２に示すように、本考案の実施例による電灯は、ソケット１、基板２、若干の発光体３、集光笠４、電灯笠５からなり、基板２はソケット１内に設けられ、基板２に若干の発光体３が設けられ、その発光体３を等距離に並べることができ、且必要により、同じかまたは違う色つや、輝度を出させるように光源を設けることもできる。
【０００６】
集光笠４は基板２の上方に設けられるものであり、且其々の発光体３に対応して透かした集光部４１が設けられ、その集光部４１の底部の直径が外側の直径より小さく、且内面に若干の反射面４１１が設けられる。
電灯笠５は透明なものであり、且ソケット１を覆うように設けられるために基板２、集光笠４は電灯笠５によって覆われ、又電灯笠５の内面に若干の反射面５１が設けられる。
【０００７】
図３に示すように、本実施例では、其々の発光体３の光源が其々対応した集光部４１によって出され、集光部４１の隔離によって其々の発光体３の発散した光源及び色つやが一層目立つようになり、且集光部４１の内面にある反射面４１１の反射によってより優れた光源の反射拡散の効果が得られる。
【０００８】
図４に示すように、本実施例では、其々の発光体３が発散した光源が集光笠４の隔離及び反射によって広がった後、電灯笠５まで投射され、且電灯笠５の内面にある反射面５１によって反射して広がるため、電灯笠５によって出された光源は、より優れた光線の反射できらきら輝く光の変化、及び光源の広がった輝度などの効果を持つようになる。
【０００９】
それ故、上述したように、本実施例は確かに従来知られた製品より一層反射してきらきら輝く光の変化、及び光源の拡散輝度の効果を有する。
【図面の簡単な説明】
【００１０】
【図１】本考案の実施例による電灯を分解した状態を示す模式図である。
【図２】本考案の実施例による電灯を組合わせた状態を示す断面図である。
【図３】本考案の実施例による電灯において発光体が発散した光源、及びそれが集光笠によって出された様子を示す模式図である。
【図４】本考案の実施例による電灯において発光体が発散した光源、及びそれが電灯笠によって出された様子を示す模式図である。
【図５】従来知られた電灯の構造を示す模式図である。
【符号の説明】
【００１１】
１  ソケット、２  基板、３  発光体、４  集光笠、５  電灯笠、４１  集光部、５１  反射面、４１１  反射面
【図１】
0003108692.tif 000003
【図２】
0003108692.tif 000004
【図３】
0003108692.tif 000005
【図４】
0003108692.tif 000006
【図５】
0003108692.tif 000007
(57)【要約】      （修正有）【課題】メラミン樹脂製のスポンジを用い、歯に付着したヤニ等の汚れを除去する歯のヤニ取り具の提供。【解決手段】メラミン樹脂製のスポンジに小型のハンドルを取り付け、これを用いて歯を磨く事により歯にこびりついた煙草のヤニ、茶渋等を容易に除去するものである。【選択図】図６
0003108670.tif 000002
【実用新案登録請求の範囲】
【請求項１】
メラミン樹脂製のスポンジにハンドルを取り付け、ハンドル部を掴んで歯を磨く事を特徴とする歯のヤニ取り具。
【考案の詳細な説明】
【技術分野】
【０００１】  本考案は、メラミン樹脂スポンジを用いた歯のヤニ取り具に関するものである。
【背景技術】
【０００２】  従来は通常の歯ブラシと研磨剤入りの歯磨き粉を用いて歯の表面を研磨していた。研磨剤によって歯そのものまで傷める恐れがあった。
【考案の開示】
【考案が解決しようとする課題】
【０００３】  通常の歯ブラシと歯磨き粉は食べかすを取り除く意味合いが強く、歯にこびりついた汚れまで除去するのは困難であった。また、煙草のヤニを落とす目的で大量の研磨剤を含む歯磨き粉も市販されているが、研磨剤により歯そのものまで削ってしまう恐れがあった。本考案はメラミン樹脂製のスポンジを用いる事で歯や歯茎を傷めず、効率的に歯に付着した煙草のヤニや茶渋等の汚れを除去する事が可能であり、前述の欠点を解決しようとするものである。
【課題を解決する為の手段】
【０００４】  本考案は汚れの吸着作用を持つメラミン樹脂スポンジを用い、形状を図１及び図２のようにすることにより、凹凸のある歯の表面をムラなく磨く事ができるものとする。
【考案の効果】
【０００５】  メラミン樹脂のスポンジは、その微細な繊維により表面の汚れだけを剥離する効果に長けている。これを歯に使用する事で従来の歯磨きでは困難であった、煙草のヤニや茶渋等の強固な汚れを簡単に除去する事が出来る。
また、メラミン樹脂製のスポンジは素材自体の硬度が歯よりも遥かに低く、一般的に歯磨き粉に用いられる、リン酸水素カルシウムや酸化アルミニウム等のように歯の表面をも削り取って傷付ける心配が皆無である。
更に本体の形状を歯間に合わせた形状とする事で細かな部分までムラなく汚れを除去する事が出来る。
【考案を実施する為の最良の形態】
【０００６】  メラミン樹脂製のスポンジに支持用のハンドルを取り付ける。ハンドルは親指と人差し指で支持できる最小限の大きさにすることで口内での取り回しを容易にするものである。また、ハンドルとスポンジが分離出来る構造の場合は、ハンドルをを裏返して使用する事が可能で、歯の裏側への使用も容易になる。
【実施例】
【０００７】  以下本考案の一実施例を図面を参照して詳細に説明する。本考案は、メラミン樹脂のスポンジを用い、歯の表面の汚れを簡単且つ歯を傷付けることなく取り除くものである。
図１は本考案の側面図である。図１の１はメラミン樹脂スポンジ部、図１の２はプラスチック製の台、図１の３は台と一体の、ハンドルに固定する為の突起である。スポンジ部とプラスチック製の台は接着されており、ハンドルとの確実な固定が可能である。図２は本考案の正面図である。スポンジ部の先端を歯間に当てて隙間に合わせて上下に擦る事で歯の境目の汚れを除去し、同時に斜面部で当てた歯間の両隣の歯の正面の汚れを除去するものである。この作業を歯間ごとに繰り返す事で歯全体をムラなく磨く事が可能である。
図１、２並びに図３の３はプラスチック製の台に設けた、ハンドルとの固定に使用する突起である。この突起を図４の５に示すハンドルの穴に差し込み、図６の状態で使用する。ハンドルはプラスチック製、若しくはステンレス等の金属製とし比較的消耗の早いスポンジ部に対して耐久性を持たせることで、省資源化と使用者の負担の低減を図るものである。また、ハンドルの形状は極力小型化することで、歯の裏側への使用を容易にする。
図７はハンドルに直接スポンジ部を接着したものである。ハンドルとスポンジ部を一体型にする事で使用に際しての手間を軽減する事も可能である。
図８はスポンジ部の歯茎に接する面にコーティングを施したものである。このコーティングはゴム、シリコン、ゼラチン等の柔らかい材質とする事で歯茎への負担を更に低減するのに有効である。これはハンドル一体型、分離型双方に可能な加工である。
【図面の簡単な説明】
【０００８】
【図１】  本考案のスポンジ部の側面図である。
【図２】  本考案のスポンジ部の正面図である。
【図３】  本考案のスポンジ部のハンドルとの接合面の正面図である。
【図４】  本考案のハンドルの正面図である。
【図５】  本考案のハンドルの側面図である。
【図６】  本考案のスポンジ部とハンドルを接合させた使用時の側面図である。
【図７】  本考案の実施例の一体型とした場合の側面図である。
【図８】  本考案の実施例のコーティングを施した場合の側面図である。
【符号の説明】
【０００９】    １．メラミン樹脂製スポンジ
２．プラスチック製の台
３．２のプラスチック製の台と一体のハンドルとの接合用の突起
４．プラスチック若しくは金属製のハンドル
５．３の突起を差し込み、スポンジ部取り付け用の穴
６．コーティング皮膜
【図１】
0003108670.tif 000003
【図２】
0003108670.tif 000004
【図３】
0003108670.tif 000005
【図４】
0003108670.tif 000006
【図５】
0003108670.tif 000007
【図６】
0003108670.tif 000008
【図７】
0003108670.tif 000009
【図８】
0003108670.tif 000010
(57)【要約】      （修正有）【課題】保持具を単純にして、容易に組み立て、地面に簡単に設置できること。【解決手段】スプリングコイル１０と、それを受けるガイドバー１を一体のものとし、支柱頂点面とガイドバーの中心に有するピンホール穴を合わせ、割りピン２をガイドバー上部より挿し入れ、ガイドバーと支柱２０を接合する。スプリングコイルの下端部の鈎部を引き下げ、支柱下部に設けたフックに掛ける。【選択図】図１
0003108668.tif 000002
【実用新案登録請求の範囲】
【請求項１】
植物を誘引保持する、上端部を円状に固定したスプリングコイルと、当該円の中心線に位置し、円を受けるガイドバーと、当該ガイドバーの中心を垂線状に支持する支柱と、を備えた植物保持具。
【考案の詳細な説明】
【技術分野】
【００１】  本考案は、植物を誘引保持する植物保持具に関する。
【背景技術】
【００２】  従来のリング式保持具は、分離した複数のリングと支柱を組み合わせている。
【考案が解決しようとする課題】
【００３】  保持具を単純にし、容易に組み立て、地面に簡単に設置できること。
【課題を解決するための手段】
【００４】  そこで、上端部を円状に固定したスプリングコイルと、当該円の中心線に位置し、当該円を受けるガイドバーと、ガイドバーの中心を垂線状に支持する支柱を、遊動接合する方法を考案した。（図１）
【考案の効果】
【００５】  よって、本考案により保持具を単純にし、容易に組み立て、地面に簡単に設置できる。
【考案を実施するための最良の形態】
【００６】  本考案に係る植物保持具は、図１に示すように上端部を円状に固定し下端部を鈎状にしたスプリングコイルと．当該円の中心線に位置し、中心にピンホール穴を有したガイドバーが、当該円周２点に固定されている。このスプリングコイルとガイドバーとの一体に、頂点面中心にピンホールを有した支柱をスプリングコイル下方より挿し入れ、割りピンをガイドバーのピンホール上部より支柱頂点面ピンホールに挿入する。
支柱下方部に、スプリングコイルの伸縮に対応する位置に、スプリングコイルの下端部の鈎をかけるフックを設ける。
スプリングコイルの径、支柱の長さは、植物の種類に応じて決めればよい。
スプリングコイルの素材は、鋼鉄ワイヤーに、ビニール被膜をほどこしたものが望ましい。
【図面の簡単な説明】
【００７】
【図１】  本考案に係る保持具を、組み立てる状態の立面図である。
【図２】  本考案に係る保持具の組み立て図である。
【符号の説明】
【００８】  １        ガイドバー
２        割りピン
３        フック
１０      スプリングコイル
２０      支柱
【図１】
0003108668.tif 000003
【図２】
0003108668.tif 000004
(57)【要約】【課題】本考案は引っ手繰り誘拐など被害に遭った瞬間に犯人に目印を付け、犯人を逮捕するための防犯具で、これを持ち歩くだけで犯罪者を寄せ付けなくする目的を持つものである。【解決手段】本考案は容器（７）の内容物であるペンキ等を容器（７）の両端のゴム紐（２）とゴム紐（８）の弾性によって犯人に直接当て犯人を認識できる印を付ける、又は被害者本人にペンキ等を付けて犯罪の場所や逃走ルート等に目印を残す事により犯人逮捕を容易にする。是を持ち歩く事により犯罪を抑制し安全を確保する事に役立つ。【選択図】  図１
0003108666.tif 000002
【実用新案登録請求の範囲】
【請求項１】
アクセサリーとしてバック、財布等に付けやすい大きさのビニール容器と蓋との間に、破れ易いビニールの幕を張り、その中に目的に合わせてペンキやインク又は液体や粉末の唐辛子を入れ、これをバック、荷物、財布に取り付け、犯人がバック、荷物、財布を持ち去ろうとした時、確実にその犯人にペンキ、インク又は唐辛子が当たるようにゴム紐と紐を容器と蓋に取り付けた引ったくり、スリ、誘拐、痴漢、強盗、強姦などの被害から身を守る為のアクセサリー型防犯用容器。
【考案の詳細な説明】
【技術分野】
【０００１】本考案は引ったくり、誘拐、痴漢、スリ等から身を守り犯人を特定する為のペンキ、インク又は液体や粉末の唐辛子を入れる容器に関するものである。
【背景技術】
【０００２】歩行中、自転車乗車中の引ったくりには自転車籠に網を張る、電車内、エレベーター内の痴漢には犯人の腕を掴む、スリには財布に紐を付ける、誘拐には大声を出す又は警報音を発する器具を持ち歩く等と対処法が少なかった。
【考案の開示】
【考案が解決しようとする課題】
【０００３】本考案は、被害に遭った瞬間に犯人に目印を付けるアクセサリーを持ち歩く事により、犯人逮捕を容易にし又是をバック等の外側に付ける事により犯罪者を寄り付かなくさせようとするものである。
【課題を解決するための手段】
【０００４】本考案は、鞄又は財布に付けるアクセサリーとして持ち歩く為ぶつかり又は押さえに対しての強度を高め、引っ張りには軽く外れる二重蓋の構造になる様、蓋と容器を柔らかいビニール幕でつなぎ合わせる、容器にペンキ、インク、蛍光塗料、唐辛子粉又はその液体を入れ、下部に引きちぎれる強度のゴム紐を取付け取付金具を取付る、容器上部には強度のやや強いゴム紐を容器の紐と蓋の紐に少し間を空けて取付け、取付金具を付ける。鞄又は財布と体の一部に其々の目的に合わせて係止する。誘拐には蛍光塗料、痴漢には絵の具等使い分けて入れ、バック等を犯人が持ち去ろうとした時引きちぎられたゴムの力で加害者に向かいペンキ等が飛散する、誘拐や痴漢は被害者が容器を握り潰す事により犯人に目印を付け犯罪を起こりにくくする、又強姦には容器に唐辛子を入れ握り潰した手を犯人の顔に付ける等として使用する。
【考案の効果】
【０００５】取付金具を其々の目的に合わせ自転車又はブレスレット等とバック又は財布等に取り付ける事により引ったくりやスリ等に遭ったとき時、犯人に向かって引きちぎられ蓋の取れた容器が飛び、ペンキ等が飛散し犯人を特定することが出来る。同様に誘拐などは、この容器を被害者自身が握り潰す事により被害者や現場又は犯人にペンキ等が付着し、誘拐現場の特定、誘拐車両の特定が出来る。痴漢も同様に特定出来る。容器の内容物を蛍光塗料など使えば一般からの情報提供も得られ犯人逮捕につながる。強姦には容器に液体唐辛子を入れ握り潰した手で犯人の目の辺りに触れると犯行を止める事が出来る。【０００６】上記のように本考案のアクセサリー型防犯具は、この防犯具を持ち歩くだけで、犯人がこの防犯具を知れば犯罪の抑止に繋がる、犯行に遭った時は犯人の特定が容易になる。
【考案を実施するための最良の形態】
【０００７】本考案は二重蓋の構造になる様、蓋と容器を柔らかく破れ易いビニール幕で繋ぎ合わせ多少の衝撃に耐えられる構造にした為、財布やバックの外側に付けて持ち歩き出来るのでトランクのアクセサリーから財布のアクセサリーまで大小様々なサイズに応用でき、容器の形状も様々なデザインが作れるため年代を選ばず、幼児から老人まで其々の個性に合わせた形で年中持ち歩く事が出来る。さらに単純な構造のため安価に製造できるので広く一般に公言することでその犯罪自体を起こしにくくする事が出来る。
【実施例】
【０００８】以下、添付図面に従って一実施例を説明する。図１は本考案の全体正面図で使用前完成図、図２は図１に力が加わった図で蓋（５）がはずれビニール幕（６）が伸びた図。（１）は金属又はプラスチック等強度があるもので盗まれる側のバックや財布に付ける取付金具で目的により形状は異なるがＳ字フック等取り外ししやすい物がよい、是と強度は強めで弾力のあるゴム紐（２）で容器（７）を固定する為に四方から中心に集めた紐（４）の先端を繋ぐ、紐（３）は四方から集めた紐（４）の中心を通しゴム紐（２）の中央と蓋（５）に繋ぐ、ビニール幕図２（６）を蓋（５）と容器（７）に少しゆとりを持たせ張り合わせる、ビニール幕（６）より強くゴム紐（２）より弱い程度のゴム紐（８）で容器（７）を身に付けているベルトやブレスレットに付ける取付金具（９）に繋ぐ。図３は取付金具（１）とゴム紐（２）の先ををリングにして繋ぎその中央にもリングを作り紐（３）と繋ぐ、末端を紐（４）の先に繋ぎ、紐（３）と紐（４）の末端を蓋（５）と容器（７）にプレス（３ａ）（４ａ）で固定する。図４は蓋（５）と容器（７）を外れやすく軽くかみ合せる。図５はビニール幕（６）で蓋（５）と容器（７）の間をゆとりを持たせ密閉状態にプレス（６ａ）する、容器（７）とゴム紐（８）はプレスして繋ぎ取付金具（９）とはリングで繋ぐ。
【図面の簡単な説明】
【０００９】
【図１】本考案のアクセサリー型防犯具の実施例を示す図面である。
【図２】本防犯具に力を加えた時の図面である。
【図３】本考案の取付部位の説明を示す図面である。
【図４】本考案の蓋と容器の関係を説明する図面である。取付金具、紐、ゴム紐を省略する。
【図５】本考案の蓋を軽く持ち上げたときの説明をする図面である。
【符号の説明】
【００１０】１  取付金具
２  ゴム紐  強度３
３  紐      ３ａ  紐と蓋をプレスする接着面
４  紐      ４ａ  紐と容器をプレスする接着面
５  蓋
６  ビニール幕  強度１      ６ａ  蓋と容器にビニール幕をプレスする接着面
７  容器
８  ゴム紐  強度２
９  取付金具
【図１】
0003108666.tif 000003
【図２】
0003108666.tif 000004
【図３】
0003108666.tif 000005
【図４】
0003108666.tif 000006
【図５】
0003108666.tif 000007
(57)【要約】      （修正有）【課題】糸通しを目で見て行うのでなく指先の感覚で行うため、従来の縫い針の欠点を解決し、糸通しが困難だった人にも使用できるようにする。【解決手段】本考案は、縫い針の針穴の側面に、糸を入り込ませる隙間２を設け、糸を側面から滑り込ませるようにしたため、困難である穴の正面からの糸通しをしなくて済み、問題点を解決している。【選択図】図１
0003108663.tif 000002
【実用新案登録請求の範囲】
【請求項１】
針穴に、糸を滑り込ませる隙間を設け、糸を側面から挿入することにより、糸通しが困難だった人にも容易にできるようにしたところを特徴とする縫い針である。
【考案の詳細な説明】
【技術分野】
【０００１】  この考案は、糸通しの方法を改良した縫い針に関するものである。
【背景技術】
【０００２】  従来の縫い針は、糸の先を針穴の前面から挿入することによって糸を装着するため、糸通しが容易ではなかった。
【考案の開示】
【考案が解決しようとする課題】
【０００３】  従来の縫い針は、糸の先を針穴の前面から挿入することによって糸を通すため、視力の弱い人や老人には裁縫の作業の中でも糸通しが特に困難な作業であった。本考案は糸通しを目で見て行うのでなく指先の感覚で行うため、従来の縫い針の欠点を解決し、糸通しが困難だった人にも使用できるようにするものである。
【課題を解決するための手段】
【０００４】  本考案は、縫い針の針穴の側面に、糸を入り込ませる隙間を設け、糸を側面から滑り込ませるようにしたため、困難である穴の正面からの糸通しをしなくて済み、問題点を解決している。
【考案の効果】
【０００５】  上記のように、今まで縫い針に糸を通す際、穴の正面からではなく、穴の側面の隙間に糸を滑り込ませるようにしたため、老眼で縫い針の穴や糸の先を確認しにくい人にも容易に糸を通すことができる。そのため、糸通しの作業を他の人の手に頼っていた人も自分で糸通しができ、裁縫の機会を増やすことになる。
【考案を実施するための最良の形態】
【０００６】  縫い針の穴の側面部分に、斜めの切れ目を設け、切れ目の上部が穴の外側になるように、下部が穴の内側に位置するようにする。また穴の上部に、糸を針穴の切れ目に誘導するための窪みを設ける。
【実施例】
【０００７】  以下、添付図面に従って実施例を説明する。糸の端を折り返して、指でつまみ輪を作る。その輪の中に縫い針を通し、糸を針に密着させるようにしながら上方に滑らせ、１の針穴上部の窪みに入ったところで下方に糸を引くと、２の切れ目を通って糸が針穴に装着できる。
【産業上の利用可能性】
【０００８】  従来は、糸の先を針穴の前面から挿入することによって糸を通すため、視力が弱い人や老人には糸通しの作業が裁縫の中でも特に困難な作業であった。本考案は糸通しを視力に頼らない方法で行うため、従来の縫い針の問題点を解決し、幅広い用途に使用できるようにするものである。
【図面の簡単な説明】
【０００９】
【図１】縫い針の正面図である。
【図２】縫い針の側面図である。
【符号の説明】
【００１０】  １  糸を切れ目に誘導する窪み
２  針穴の切れ目
３  針穴の上端
４  針穴の下端
５  針穴の切れ目の下端
【図１】
0003108663.tif 000003
【図２】
0003108663.tif 000004